(57)【要約】      （修正有）【課題】信号線に供給される信号のばらつきを低減する。【解決手段】第１供給回路２００ａは、データ信号ＶID[ｊｏｄｄ]を奇数番目の分配回路２１[ｊｏｄｄ]に出力し、選択信号ＳＥＬ１[１]〜[Ｋ]を全ての分配回路２１[ｊ]に出力する。第２供給回路２００ｂは、データ信号ＶID[ｊｅｖｅｎ]を偶数番目の分配回路２１[ｊｅｖｅｎ]に出力する。奇数番目の分配回路２１[ｊｏｄｄ]は、選択信号ＳＥＬ１[１]〜[Ｋ]を用いて、データ信号ＶID[ｊｏｄｄ]を信号線１４に分配する。偶数番目の分配回路２１[ｊｅｖｅｎ]は、選択信号ＳＥＬ１[１]〜[Ｋ]を用いて、データ信号ＶID[ｊｅｖｅｎ]を信号線１４に分配する。第１供給回路２００ａは、データ信号ＶID[ｊｏｄｄ]の元になるデジタルデータ信号Ｄ−ＶID[ｊｏｄｄ]と調節値Ａ１とに基づいて生成されたデータ信号ＶID[ｊｏｄｄ]を分配回路２１[ｊｏｄｄ]に出力する。【選択図】図３
2018017802.tif 000002
【特許請求の範囲】
【請求項１】
第１信号線群に属する複数の第１信号線と複数の走査線との各交差に対応して配置され前記走査線の選択時に前記第１信号線に供給される第１データ信号に応じた階調を表示する複数の第１画素と、
第２信号線群に属する複数の第２信号線と前記複数の走査線との各交差に対応して配置され前記走査線の選択時に前記第２信号線に供給される第２データ信号に応じた階調を表示する複数の第２画素と、
第１選択信号を用いて前記第１データ信号を前記第１信号線に分配する第１分配部と、
前記第１選択信号を用いて前記第２データ信号を前記第２信号線に分配する第２分配部と、
前記第１データ信号と前記第１選択信号を供給する第１供給部と、
前記第２データ信号を供給する第２供給部と、を含み、
前記第１データ信号または前記第２データ信号は、前記第１画素または前記第２画素の表示を調節するための調節値に基づいて調整される、
ことを特徴とする電気光学装置。
【請求項２】
複数の走査線と、
複数の第１信号線と、
複数の第２信号線と、
前記複数の走査線と前記複数の第１信号線との交差の各々に対応して設けられ前記走査線の選択時に前記第１信号線に供給された第１データ信号に応じた表示を実行する複数の第１画素と、
前記複数の走査線と前記複数の第２信号線との交差の各々に対応して設けられ前記走査線の選択時に前記第２信号線に供給された第２データ信号に応じた表示を実行する複数の第２画素と、
前記複数の走査線の各々を順次に選択する走査線駆動部と、
前記第１データ信号の前記複数の第１信号線への分配および前記第２データ信号の前記複数の第２信号線への分配を制御する選択信号と、前記第１データ信号とを出力する第１供給部と、
前記選択信号と前記第２データ信号とを出力する第２供給部と、
前記第１供給部から出力された選択信号を用いて、前記第１データ信号を前記複数の第１信号線へ分配する第１分配部と、
前記第１供給部から出力された選択信号を用いて、前記第２データ信号を前記複数の第２信号線へ分配する第２分配部と、
を備え、
前記第１供給部は、前記第１データ信号の元になる信号と、前記複数の第１画素の表示を調節するための調節値と、に基づいて生成された信号を、前記第１データ信号として、前記第１分配部に出力する、
ことを特徴とする電気光学装置。
【請求項３】
前記元になる信号と前記調節値とに基づいて前記第１データ信号を生成する第１信号生成部を備え、
前記第１供給部は、前記第１信号生成部が生成した前記第１データ信号を前記第１分配部に出力することを特徴とする請求項２に記載の電気光学装置。
【請求項４】
前記第１供給部は、前記第１信号生成部を内蔵することを特徴とする請求項３に記載の電気光学装置。
【請求項５】
前記元になる信号と前記調節値とに基づいて第３データ信号を生成する第２信号生成部を備え、
前記第１供給部は、前記第２信号生成部が生成した前記第３データ信号に基づいて前記第１データ信号を生成し、当該第１データ信号を前記第１分配部に出力する
ことを特徴とする請求項２に記載の電気光学装置。
【請求項６】
前記調節値は、前記複数の第１画素の輝度を高くする調節を行うための調節値であることを特徴とする請求項２から５のいずれか１項に記載の電気光学装置。
【請求項７】
前記第１分配部と前記第２分配部とは、隣り合って配置されていることを特徴とする請求項２から６のいずれか１項に記載の電気光学装置。
【請求項８】
前記複数の走査線と、前記複数の第１信号線と、前記複数の第２信号線と、前記複数の第１画素と、前記複数の第２画素と、前記走査線駆動部と、前記第１分配部と、前記第２分配部とが電気光学パネルに設けられ、
前記電気光学パネルは、
前記第１供給部から前記第１データ信号および前記選択信号を受ける第１入力部と、
前記第２供給部から前記第２データ信号を受ける第２入力部と、を備え、
前記第１分配部は、前記第１入力部を介して前記第１データ信号および前記選択信号を受け、
前記第２分配部は、前記第１入力部を介して前記選択信号を受け、前記第２入力部を介して前記第２データ信号を受け、
前記第１入力部と前記第２入力部とは、前記第１信号線の長さ方向に並んでいる、
ことを特徴とする請求項２から７のいずれか１項に記載の電気光学装置。
【請求項９】
前記第２供給部は、前記選択信号の出力を停止することを特徴とする請求項２から８のいずれか１項に記載に電気光学装置。
【請求項１０】
請求項１から９のいずれか１項に記載の電気光学装置を備えることを特徴とする電子機器。
【請求項１１】
第１供給部は、第１データ信号と第１選択信号を供給し、
第２供給部は、第２データ信号を供給し、
第１分配部は、前記第１選択信号を用いて前記第１データ信号を第１信号線に分配し、
第２分配部は、前記第１選択信号を用いて前記第２データ信号を第２信号線に分配し、
前記第１信号線と走査線との交差に対応して配置された第１画素は、前記走査線の選択時に前記第１信号線に供給された前記第１データ信号に応じた階調を表示し、
前記第２信号線と前記走査線との交差に対応して配置された第２画素は、前記走査線の選択時に前記第２信号線に供給された前記第２データ信号に応じた階調を表示し、
前記第１画素または前記第２画素の表示を調節するための調節値に基づき、前記第１データ信号または前記第２データ信号を調整する、
ことを特徴とする電気光学装置の駆動方法。
【発明の詳細な説明】
【技術分野】
【０００１】
本発明は、電気光学装置および電子機器に関する。
【背景技術】
【０００２】
高精細な電気光学装置（例えば、液晶表示装置）では、１個の駆動回路のみでデータ信号を出力する場合、その１個の駆動回路に大きな負担がかかる。この負担を低減できる手法として、複数個（２個）の駆動回路を用いてデータ信号を出力する手法が知られている（特許文献１参照）。
【先行技術文献】
【特許文献】
【０００３】
【特許文献１】特開２００７−２１２９５６号公報
【発明の概要】
【発明が解決しようとする課題】
【０００４】
ところで、電気光学装置が、駆動回路の出力するデータ信号を選択信号に応じて複数の信号線に分配するデマルチプレクサー等の分配回路を有する場合がある。ここで、各駆動回路が、データ信号に加えて分配回路用の選択信号を出力することも可能である。この場合、複数の駆動回路のいずれかが出力した選択信号のみを用いて分配回路を制御するケースが考えられる。
しかしながら、このケースでは、駆動回路間で、選択信号を分配回路に供給するか否かという動作条件の違いが生じてしまう。選択信号を分配回路に供給しない駆動回路では、選択信号の出力に伴う電源電圧の変動は生じないが、選択信号を分配回路に供給する駆動回路では、選択信号の出力（例えば、選択信号の立下り）に伴って電源電圧が変動（例えば、電圧の低い側へ変動）する。この電源電圧の変動の違いは、各駆動回路間でデータ信号のばらつきを引き起こし、画質の低下を引き起こすおそれがある。
【０００５】
本発明は上述した事情に鑑みてなされたものであり、データ信号のばらつきに起因する画質の低下を抑制させ、高精細で高品質な表示を行うことを解決課題とする。
【課題を解決するための手段】
【０００６】
本発明の電気光学装置の一態様は、第１信号線群に属する複数の第１信号線と複数の走査線との各交差に対応して配置され前記走査線の選択時に前記第１信号線に供給される第１データ信号に応じた階調を表示する複数の第１画素と、第２信号線群に属する複数の第２信号線と前記複数の走査線との各交差に対応して配置され前記走査線の選択時に前記第２信号線に供給される第２データ信号に応じた階調を表示する複数の第２画素と、第１選択信号を用いて前記第１データ信号を前記第１信号線に分配する第１分配部と、第１選択信号を用いて前記第２データ信号を前記第２信号線に分配する第２分配部と、前記第１データ信号と前記第１選択信号を供給する第１供給部と、前記第２データ信号を供給する第２供給部と、を含み、前記第１データ信号または前記第２データ信号は、前記第１画素または前記第２画素の表示を調節するための調節値に基づいて調整される、ことを特徴とする電気光学装置。
第１分配部および第２分配部が第１供給部から出力された第１選択信号を用いてデータ信号の分配を行うため、第１供給部は、第２供給部に比べて、負荷が大きく、電源電圧の変動が大きくなり、よって、第１供給部から出力される第１データ信号は、第２供給部から出力される第２データ信号に比べて変動の度合いが大きくなる。しかしながら、この態様では、第１データ信号また第２データ信号について、電源電圧の変動に起因する変動を調節値で調節（補償）でき、第１データが供給される第１画素と第２データ信号が供給される第２画素との間の輝度等のばらつきを低減可能となる。
【０００７】
また、本発明の電気光学装置の一態様は、複数の走査線と、複数の第１信号線と、複数の第２信号線と、前記複数の走査線と前記複数の第１信号線との交差の各々に対応して設けられ前記走査線の選択時に前記第１信号線に供給された第１データ信号に応じた表示を実行する複数の第１画素と、前記複数の走査線と前記複数の第２信号線との交差の各々に対応して設けられ前記走査線の選択時に前記第２信号線に供給された第２データ信号に応じた表示を実行する複数の第２画素と、前記複数の走査線の各々を順次に選択する走査線駆動部と、前記第１データ信号の前記複数の第１信号線への分配および前記第２データ信号の前記複数の第２信号線への分配を制御する選択信号と、前記第１データ信号とを出力する第１供給部と、前記選択信号と前記第２データ信号とを出力する第２供給部と、前記第１供給部から出力された選択信号を用いて、前記第１データ信号を前記複数の第１信号線へ分配する第１分配部と、前記第１供給部から出力された選択信号を用いて、前記第２データ信号を前記複数の第２信号線へ分配する第２分配部と、を備え、前記第１供給部は、前記第１データ信号の元になる信号と、前記複数の第１画素の表示を調節するための調節値と、に基づいて生成された信号を、前記第１データ信号として、前記第１分配部に出力することを特徴とする。
第１分配部および第２分配部が第１供給部から出力された選択信号を用いてデータ信号の分配を行うため、第１供給部は、第２供給部に比べて、負荷が大きく、電源電圧の変動が大きくなり、よって、第１供給部から出力されるデータ信号は、第２供給部から出力されるデータ信号に比べて変動の度合いが大きくなる。しかしながら、この態様では、第１供給部から供給される第１データ信号については、電源電圧の変動に起因する変動を調節値で調節（補償）でき、第１データ信号と第２供給部から供給される第２データ信号との間のばらつきを低減可能となる。よって、画質の低下を抑制可能になる。
【０００８】
上述した電気光学装置において、前記元になる信号と前記調節値とに基づいて前記第１データ信号を生成する第１信号生成部を備え、前記第１供給部は、前記第１信号生成部が生成した前記第１データ信号を前記第１分配部に出力することが望ましい。
この態様によれば、元になる信号と調節値とに基づいて第１データ信号を生成可能になる。
【０００９】
上述した電気光学装置において、前記第１供給部は、前記第１信号生成部を内蔵することが望ましい。
この態様によれば、第１供給部において、元になる信号と調節値とに基づいて第１データ信号を生成可能になる。
【００１０】
上述した電気光学装置において、前記元になる信号と前記調節値とに基づいて第３データ信号を生成する第２信号生成部を備え、前記第１供給部は、前記第２信号生成部が生成した前記第３データ信号に基づいて前記第１データ信号を生成し、当該第１データ信号を前記第１分配部に出力することが望ましい。
この態様によれば、第１供給部は、元になる信号と調節値とに基づいて生成された第３データ信号に基づいて、第１データ信号を生成可能になる。
【００１１】
上述した電気光学装置において、前記調節値は、前記複数の第１画素の輝度を高くする調節を行うための調節値であることが望ましい。
この態様によれば、第１データ信号の変動に起因する複数の第１画素の輝度の低下を、調節値を用いて抑制可能になる。
【００１２】
上述した電気光学装置において、前記第１分配部と前記第２分配部とは隣り合って配置されていることが望ましい。
この態様によれば、第１分配部と第２分配部とを近接配置できる。
【００１３】
上述した電気光学装置において、前記複数の走査線と、前記複数の第１信号線と、前記複数の第２信号線と、前記複数の第１画素と、前記複数の第２画素と、前記走査線駆動部と、前記第１分配部と、前記第２分配部とが電気光学パネルに設けられ、前記電気光学パネルは、前記第１供給部から前記第１データ信号および前記選択信号を受ける第１入力部と、前記第２供給部から前記第２データ信号を受ける第２入力部と、を備え、前記第１分配部は、前記第１入力部を介して前記第１データ信号および前記選択信号を受け、前記第２分配部は、前記第１入力部を介して前記選択信号を受け、前記第２入力部を介して前記第２データ信号を受け、前記第１入力部と前記第２入力部とは、前記第１信号線の長さ方向に並んでいることが望ましい。
この態様によれば、第１入力部と第２入力部との並び方向が、第１信号線の長さ方向に直交する特定方向と一致する場合に比べて、第１入力部と第２入力部を配置する領域の特定方向の長さを短くできる。
【００１４】
上述した電気光学装置において、前記第２供給部は、前記選択信号の出力を停止することが望ましい。
この態様によれば、第１分配部と第２分配部とのいずれにも使用されない第２供給部の選択信号の出力を停止するので、低消費電力化を図ることが可能になる。
【００１５】
本発明の電子機器の一態様は、上述した電気光学装置を備える。そのような電気光学装置は、画質の低下を抑制可能になる。
【００１６】
本発明の電気光学装置の駆動方法の一態様は、第１供給部は、第１データ信号と第１選択信号を供給し、第２供給部は、第２データ信号を供給し、第１分配部は、前記第１選択信号を用いて前記第１データ信号を第１信号線に分配し、第２分配部は、前記第１選択信号を用いて前記第２データ信号を第２信号線に分配し、前記第１信号線と走査線との各交差に対応して配置された第１画素は、前記走査線の選択時に前記第１信号線に供給された前記第１データ信号に応じた階調を表示し、前記第２信号線と前記走査線との各交差に対応して配置された第２画素は、前記走査線の選択時に前記第２信号線に供給された前記第２データ信号に応じた階調を表示し、前記第１画素または前記第２画素の表示を調節するための調節値に基づき、前記第１データ信号または前記第２データ信号を調整する、ことを特徴とする。
第１分配部および第２分配部が第１供給部から出力された第１選択信号を用いてデータ信号の分配を行うため、第１供給部は、第２供給部に比べて、負荷が大きく、電源電圧の変動が大きくなり、よって、第１供給部から出力される第１データ信号は、第２供給部から出力される第２データ信号に比べて変動の度合いが大きくなる。しかしながら、この態様では、第１データ信号また第２データ信号について、電源電圧の変動に起因する変動を調節値で調節（補償）でき、第１データが供給される第１画素と第２データ信号が供給される第２画素との間の輝度等のばらつきを低減可能となる。
【図面の簡単な説明】
【００１７】
【図１】本発明の第１実施形態の電気光学装置１の斜視図である。
【図２】電気光学装置１の反対面の斜視図である。
【図３】電気光学装置１を示す図である。
【図４】画素ＰIXの回路図である。
【図５】電気光学装置１の動作の説明図である。
【図６】電気光学装置１の一部の構成を示す図である。
【図７】生成回路２００ａ４を示す図である。
【図８】生成回路２００ｂ４を示す図である。
【図９】電気光学装置１の構成を示す平面図である。
【図１０】本発明の第２実施形態の電気光学装置１Ａを示すブロック図である。
【図１１】生成回路５００ａを示す図である。
【図１２】電子機器の形態（投射型表示装置）を示す斜視図である。
【発明を実施するための形態】
【００１８】
以下、図面を参照しながら本発明に係る実施の形態を説明する。なお、図面において各部の寸法や縮尺は実際のものと適宜異なる。また、以下に記載する実施の形態は、本発明の好適な具体例であるから技術的に好ましい種々の限定が付されているが、本発明の範囲は、以下の説明において特に本発明を限定する旨の記載がない限り、これらの形態に限られるものではない。
【００１９】
＜第１実施形態＞
図１は、本発明の一実施形態である電気光学装置１の信号伝送系の構成を示す図である。電気光学装置１は、電気光学パネル１００と、第１供給回路２００ａと、第２供給回路２００ｂと、第１配線基板としてのフレキシブル（Flexible Printed Circuits）回路基板３００ａおよび第２配線基板としてのフレキシブル回路基板３００ｂと、を備えている。なお、この電気光学装置１は、例えば、フルハイビジョンの画素数を縦２倍、横２倍とし、３８４０×２１６０の画素数を有するものであってもよい。また、第１供給回路２００ａと第２供給回路２００ｂとの各々は、例えば、駆動用集積回路である。
図２は、本発明を採用した第１実施形態に係る電気光学装置１の構成例を示す斜視図である。図２は、図１の主要部の反対面の斜視図である。
＜電気光学装置１の概略＞
電気光学装置１は、電気光学パネル１００の一辺に、フレキシブル回路基板３００ａおよび３００ｂが接続された構成である。
【００２０】
第１供給回路２００ａは、フレキシブル回路基板３００ａにＣＯＦ（Chip On Film）技術によって実装されている。第２供給回路２００ｂは、フレキシブル回路基板３００ｂにＣＯＦ技術によって実装されている。フレキシブル回路基板３００ａは、フレキシブル回路基板３００ｂに積層されている。第１供給回路２００ａは、第２供給回路２００ｂに積層されている。このように本実施形態では、フレキシブル回路基板３００ａとフレキシブル回路基板３００ｂは、電気光学パネル１００の表示面に垂直な方向（ｚ方向）において一部が重なるように取り付けられる。
【００２１】
電気光学パネル１００は、第１入力部１１０ａと、第２入力部１１０ｂと、を備えている。
第１入力部１１０ａは入力端子群である。第１入力部１１０ａは、例えば、第１供給回路２００ａが出力した各種信号を、フレキシブル回路基板３００ａを介して受ける。第２入力部１１０ｂは入力端子群である。第２入力部１１０ｂは、例えば、第２供給回路２００ｂが出力した各種信号を、フレキシブル回路基板３００ｂを介して受ける。電気光学パネル１００は、第１入力部１１０ａが受けた各種信号と、第２入力部１１０ｂが受けた各種信号と、に基づいて駆動する。
【００２２】
フレキシブル回路基板３００ａおよび３００ｂには、信号を伝送するための配線（図１、２では省略）が設けられている。
【００２３】
フレキシブル回路基板３００ａの配線の一方の端部（接続端子３００ａ１）は、電気光学パネル１００の第１入力部１１０ａに接続されている。フレキシブル回路基板３００ａの配線の他方の端部は、制御回路５００（図３参照）が設けられている制御基板６００（図９参照）に接続されている。第１供給回路２００ａは、フレキシブル回路基板３００ａの配線を介して、電気光学パネル１００と制御回路５００とに電気的に接続されている。
【００２４】
フレキシブル回路基板３００ｂの配線の一方の端部（接続端子３００ｂ１）は、電気光学パネル１００の第２入力部１１０ｂに接続されている。フレキシブル回路基板３００ｂの配線の他方の端部は、制御基板６００に接続されている。第２供給回路２００ｂは、フレキシブル回路基板３００ｂの配線を介して、電気光学パネル１００と制御回路５００とに電気的に接続されている。
【００２５】
第１供給回路２００ａは、制御回路５００からデジタルデータ信号Ｄ−ＶIDおよび駆動制御のための各種の信号を受信する。デジタルデータ信号Ｄ−ＶIDは、電気光学パネル１００内の画素ＰIX（図３参照）の階調を時分割で指定するデジタル信号である。第１供給回路２００ａは、制御回路５００から受信した信号に基づいて、電気光学パネル１００を駆動する。
【００２６】
第２供給回路２００ｂは、制御回路５００からデジタルデータ信号Ｄ−ＶIDおよび駆動制御のための各種の信号を受信する。第２供給回路２００ｂは、制御回路５００から受信した信号に基づいて、電気光学パネル１００を駆動する。
【００２７】
＜電気光学装置１の詳細＞
図３は、電気光学装置１の構成を模式的に示す図である。
電気光学装置１は、制御回路５００によって制御される。
電気光学パネル１００は、複数の画素ＰIXが行列状に配列されている画素部１０と、走査線駆動回路２０と、分配回路群２１と、を備えている。
【００２８】
＜画素部１０＞
画素部１０には、走査線駆動回路２０から行方向（ｘ方向）に沿って延びるＭ（Ｍは２以上の自然数）本の走査線１２と、分配回路群２１から列方向（ｙ方向）に沿って延びるＮ（Ｎは２Ｋ（Ｋは２以上の自然数））本の信号線１４とが形成されている。Ｍ本の走査線１２は、複数の走査線の一例である。Ｍ本の走査線１２とＮ本の信号線１４は、絶縁層を介して互いに交差している。
【００２９】
複数の画素ＰIXは、各走査線１２と各信号線１４との交差の各々に対応して設けられている。このため、複数の画素ＰIXは、縦Ｍ行×横Ｎ行の行列状に配列されている。各画素ＰIXは、走査線１２の選択時の信号線１４の電位に応じた階調を表示する。
画素部１０は、全領域を表示有効領域としてもよいが、周辺部の一部を非表示領域として、周辺部の走査線１２、信号線１４、画素ＰIXをダミー走査線、ダミー信号線、ダミー画素として配置してもよい。
【００３０】
図４は、画素ＰIXの回路図である。各画素ＰIXは、液晶素子４２と選択スイッチ４４とを含んで構成されている。
【００３１】
液晶素子４２は、電気光学素子の一例である。液晶素子４２は、相対向する画素電極４２１および共通電極４２３と、画素電極４２１と共通電極４２３との間に介在する液晶４２５とを含んで構成されている。液晶４２５の透過率は、画素電極４２１と共通電極４２３との間の印加電圧に応じて変化する。なお、以下の説明では便宜的に、画素電極４２１が共通電極４２３よりも高電位である場合の液晶素子４２の印加電圧を「正極性」と称し、画素電極４２１が共通電極４２３よりも低電位である場合の印加電圧を「負極性」と称する。
【００３２】
選択スイッチ４４は、例えば、走査線１２にゲートが接続されたＮチャネル型の薄膜トランジスターで構成されている。選択スイッチ４４は、液晶素子４２（画素電極４２１）と信号線１４との間に介在して両者の電気的な接続（導通／非導通）を制御する。画素ＰIX（液晶素子４２）は、選択スイッチ４４がオン状態に制御されたときの信号線１４の電位に応じた階調を表示する。なお、液晶素子４２に対して並列に接続される補助容量等の図示は省略されている。また、画素ＰIXの構成は適宜に変更され得る。
【００３３】
説明を図３に戻す。Ｎ本の信号線１４は、Ｋ本を１単位としてＪ個の配線群（ブロック）Ｂ[ｊ]（ｊは、１≦ｊ≦Ｊの自然数、Ｊ＝Ｎ/Ｋ）に区分されている。すなわち、信号線１４は配線群ブロックＢ毎にグループ化される。Ｊ個の配線群Ｂ[１]〜Ｂ[Ｊ]は、Ｊ個のデータ線１６[１]〜１６[Ｊ]と１対１で対応する。データ線１６[１]〜１６[Ｊ]には、それぞれ、データ信号ＶID [１]〜ＶID[Ｊ]が供給される。本実施形態では、Ｊは２以上の偶数であり、１単位のＫ本の信号線１４は相隣接(連続配置)するため、奇数番目の配線群Ｂ[ｊｏｄｄ]と偶数番目の配線群Ｂ[ｊｅｖｅｎ]とが、交互に配置されている。データ信号ＶID [１]〜ＶID[Ｊ]は、データ信号ＶID [ｊｏｄｄ]およびデータ信号ＶID [ｊｅｖｅｎ]を含む。
【００３４】
Ｊ個の配線群Ｂ[１]〜Ｂ[Ｊ]のうち奇数番目の配線群Ｂ[ｊｏｄｄ]に属する信号線１４は、複数の第１信号線の一例である。配線群Ｂ[ｊｏｄｄ]は、奇数番目の配線群Ｂ[１]、Ｂ[３]・・・Ｂ[Ｊ−１]を含む。ｊｏｄｄは、「１、３・・・Ｊ−１」を意味する。
第１供給回路２００ａは、配線群Ｂ[ｊｏｄｄ]に属するＫ本の信号線１４に供給する電位を時分割で含むデータ信号ＶID[ｊｏｄｄ]を、第１入力部１１０ａを介して配線群Ｂ[ｊｏｄｄ]に対応するデータ線１６[ｊｏｄｄ]に出力する。
【００３５】
Ｊ個の配線群Ｂ[１]〜Ｂ[Ｊ]のうち偶数番目の配線群Ｂ[ｊｅｖｅｎ]に属する信号線１４は、複数の第２信号線の一例である。配線群Ｂ[ｊｅｖｅｎ]は、偶数番目の配線群Ｂ[２]、Ｂ[４]・・・Ｂ[Ｊ]を含む。ｊｅｖｅｎは、「２、４・・・Ｊ」を意味する。
第２供給回路２００ｂは、配線群Ｂ[ｊｅｖｅｎ]に属するＫ本の信号線１４に供給する電位を時分割で含むデータ信号ＶID[ｊｅｖｅｎ]を、第２入力部１１０ｂを介して配線群Ｂ[ｊｅｖｅｎ]に対応するデータ線１６[ｊｅｖｅｎ]に出力する。
【００３６】
＜制御回路５００＞
制御回路５００は、同期信号を含む各種の信号を用いて、走査線駆動回路２０と、第１供給回路２００ａと、第２供給回路２００ｂとを制御する。制御回路５００は、第１供給回路２００ａと第２供給回路２００ｂとを制御する制御部の一例である。以下、制御回路５００が有する機能の例を説明する。
【００３７】
制御回路５００は、図５に示すような、垂直走査期間Ｖを規定する垂直同期信号ＶSYNCと、水平走査期間を規定する水平同期信号ＨSYNCを、走査線駆動回路２０と、第１供給回路２００ａと、第２供給回路２００ｂとに出力する。
【００３８】
制御回路５００は、Ｍ本の走査線１２と奇数番目の配線群Ｂ[ｊｏｄｄ]に属する信号線１４との交差の各々に対応して設けられた複数の画素（複数の第１画素）ＰIXの階調を時分割で指定するデジタルデータ信号Ｄ−ＶID[ｊｏｄｄ]を、第１供給回路２００ａに出力する。また、制御回路５００は、図５に示すように、データ信号ＶID[ｊｏｄｄ]（図４に示した液晶素子４２の印加電圧）の極性が垂直走査期間Ｖごとに反転するように設定されたデジタルデータ信号Ｄ−ＶID[ｊｏｄｄ]を、第１供給回路２００ａに出力する。第１供給回路２００ａは、デジタルデータ信号Ｄ−ＶID[ｊｏｄｄ]を元にしてデータ信号ＶID[ｉｏｄｄ]を生成する。
また、制御回路５００は、複数の第１画素の表示を調節するための調節値Ａ１を、第１供給回路２００ａに出力する。
調節値Ａ１は、複数の第１画素の輝度がデジタルデータ信号Ｄ−ＶID[ｊｏｄｄ]にて指定された階調（輝度）との変動を抑制するために用いられる。例えば、調節値Ａ１は、複数の第１画素の輝度を高くする調節を行うための調節値である。調節値Ａ１は、液晶素子４２の印加電圧の極性が反転するタイミングごとに変更される。
なお、複数の第１画素の輝度がデジタルデータ信号Ｄ−ＶID[ｊｏｄｄ]にて指定された階調（輝度）と変動する現象は、後述するように、例えば、第１供給回路２００ａの出力した選択信号ＳＥＬ[１]〜ＳＥＬ[Ｋ]が分配回路２１[１]〜２１[Ｊ]で使用されることに伴い、第１供給回路２００ａの電源電圧が変動すること（電源電圧が低くなること）に起因する。
調節値Ａ１は、第１供給回路２００ａの電源電圧の変動に伴う複数の第１画素の輝度の変動を補償するために使用される。調節値Ａ１は、電気光学装置１の個々の特性に応じて決定される。
例えば、電気光学装置１の製造時において、制御回路５００が、画素部１０に含まれるすべての画素ＰIXに対して同じ階調を指示するデジタルデータ信号Ｄ−ＶIDを出力した際に、第１画素と他の画素との間の輝度の違いが測定され、その測定値の差が小さくなるように調節値Ａ１が決定される。
【００３９】
ここで、制御回路５００が出力するデジタルデータ信号Ｄ−ＶID[ｊｏｄｄ]と、第１供給回路２００ａが出力するデータ信号ＶID[ｊｏｄｄ]との関係を説明する。
デジタルデータ信号Ｄ−ＶID[ｊｏｄｄ]は、複数の第１画素ＰIXの階調を時分割で指定する。
データ信号ＶID[ｊｏｄｄ]は、デジタルデータ信号Ｄ−ＶID[ｊｏｄｄ]が時分割で指定した階調を、制御回路５００が出力した調節値Ａ１で調節した階調（調節後の階調）に応じた電位を時分割で含む。
第１供給回路２００ａが出力するデータ信号ＶID[ｊｏｄｄ]は、第１データ信号の一例である。
デジタルデータ信号Ｄ−ＶID[ｊｏｄｄ]は、データ信号ＶID[ｊｏｄｄ]（第１データ信号）の元となる信号の一例である。
【００４０】
制御回路５００は、Ｍ本の走査線１２と偶数番目の配線群Ｂ[ｊｅｖｅｎ]に属する信号線１４との交差の各々に対応して設けられた複数の画素（複数の第２画素）ＰIXの階調を時分割で指定するデジタルデータ信号Ｄ−ＶID[ｊｅｖｅｎ]を、第２供給回路２００ｂに出力する。制御回路５００は、図５に示すように、データ信号ＶID[ｊｅｖｅｎ]（図４に示した液晶素子４２の印加電圧）の極性が垂直走査期間Ｖごとに反転するように設定されたデジタルデータ信号Ｄ−ＶID[ｊｅｖｅｎ]を、第２供給回路２００ｂに出力する。第２供給回路２００ｂは、デジタルデータ信号Ｄ−ＶID[ｉｅｖｅｎ]を元にしてデータ信号ＶID[ｉｅｖｅｎ]を生成する。
また、制御回路５００は、調節値Ａ２を第２供給回路２００ｂに出力する。調整値Ａ２は、複数の第２画素の輝度がデジタルデータ信号Ｄ−ＶID[ｊｅｖｅｎ]にて指定された階調（輝度）との変動を抑制するために用いられる。本実施形態では、調節値Ａ２は、ゼロ、つまり「調節なし」である。
【００４１】
ここで、制御回路５００が出力するデジタルデータ信号Ｄ−ＶID[ｊｅｖｅｎ]と、第２供給回路２００ｂが出力するデータ信号ＶID[ｊｅｖｅｎ]との関係を説明する。
デジタルデータ信号Ｄ−ＶID[ｊｅｖｅｎ]は、複数の第２画素ＰIXの階調を時分割で指定する。
データ信号ＶID[ｊｅｖｅｎ]は、デジタルデータ信号Ｄ−ＶID[ｊｅｖｅｎ]が時分割で指定した階調を調節値Ａ２で調節した階調に応じた電位を時分割で含む。ここで、調節値Ａ２はゼロを示すため、データ信号ＶID[ｊｅｖｅｎ]は、デジタルデータ信号Ｄ−ＶID[ｊｅｖｅｎ]が時分割で指定した階調に応じた電位を時分割で含むことになる。第２供給回路２００ｂが出力するデータ信号ＶID[ｊｅｖｅｎ]は、第２データ信号の一例である。
【００４２】
このように、第２供給回路２００ｂでも、第１供給回路２００ａと同様に調節値を用いた調節が行われるので、第１供給回路２００ａと第２供給回路２００ｂとを同一の構成にすることが可能になる。第１供給回路２００ａと第２供給回路２００ｂとを同一の構成にした場合、電気光学装置１の構成部品の種類を少なくできる。
【００４３】
第１データ信号および第２データ信号は、いわゆるデータ信号であり、画像の表示に応じた異なる波形の信号であり、例えば、アナログ信号である。
【００４４】
また、制御回路５００は、各配線群Ｂ[ｊ] （ｊ＝１〜Ｊ）内の信号線１４の本数（Ｋ本）に相当するＫ系統の選択信号ＳＥＬ[１]〜ＳＥＬ[Ｋ]を生成する。制御回路５００は、選択信号ＳＥＬ[１]〜ＳＥＬ[Ｋ]を、第１供給回路２００ａと第２供給回路２００ｂに出力する。
選択信号ＳＥＬ[１]〜ＳＥＬ[Ｋ]は、選択信号の一例である。選択信号は、各配線群Ｂ[ｊ]に属するＫ本の信号線１４へのデータ信号ＶID[ｊ]の分配を制御するタイミング信号である。選択信号は、配線群Ｂ[ｊｏｄｄ]に属する信号線１４へのデータ信号ＶID[ｊｏｄｄ]の分配と、配線群Ｂ[ｊｅｖｅｎ]に属する信号線１４へのデータ信号ＶID[ｊｅｖｅｎ]の分配と、を制御する。
【００４５】
制御回路５００は、例えば、ＬＶＤＳ（Low Voltage Differential Signaling；小振幅差動信号方式）で、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]とを、第１供給回路２００ａに出力する。なお、制御回路５００は、ＬＶＤＳとは異なる方式で、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]とを、第１供給回路２００ａに出力してもよい。
また、制御回路５００は、例えば、ＬＶＤＳで、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]とを、第２供給回路２００ｂに出力する。なお、制御回路５００は、ＬＶＤＳとは異なる方式で、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]とを、第２供給回路２００ｂに出力してもよい。
【００４６】
＜走査線駆動回路２０＞
走査線駆動回路２０は、走査線駆動部の一例である。走査線駆動回路２０は、図５に示すように、水平同期信号ＨSYNCに応じて、走査信号Ｇ[１]〜Ｇ[Ｍ]をＭ本の走査線１２の各々に単位期間Ｕごとに順次出力して、Ｍ本の走査線１２の各々を順次選択する。単位期間Ｕは、水平同期信号ＨSYNCの１周期の時間長（水平走査期間（１Ｈ））に設定される。
【００４７】
図５に示すように、走査線駆動回路２０は、第ｍ行（第ｍライン）の走査線１２に供給される走査信号Ｇ[m]を、各垂直走査期間Ｖ内のＭ個の単位期間Ｕのうち第ｍ番目の単位期間Ｕ内にてハイレベル（走査線１２の選択を意味する電位）に設定する。走査線１２が選択される期間はライン期間とも呼ばれ、本実施形態では、ほぼ、単位期間Ｕに相当する。
【００４８】
走査線駆動回路２０が第ｍ行の走査線１２を選択すると、第ｍ行のＮ個の画素ＰIXの各選択スイッチ４４がオン状態に遷移する。
【００４９】
図５に示すように、単位期間Ｕは、プリチャージ期間ＴPREと書込期間ＴWRTとを含んでいる。
プリチャージ期間ＴPREは、書込期間ＴWRTの開始前に設けられている。なお、図５では、書込期間ＴWRTの前に１つのプリチャージ期間ＴPREが設けられているが、書込期間ＴWRTの前に複数（例えば２つ）のプリチャージ期間ＴPREが設けられてもよい。
書込期間ＴWRTでは、データ信号ＶID（電位）が各信号線１４に供給される。プリチャージ期間ＴPREでは、所定のプリチャージ電位ＶPRE（ＶPREa、ＶPREb）が、各信号線１４に供給される。
【００５０】
＜分配回路群２１＞
説明を図３に戻す。分配回路群２１は、Ｊ個の分配回路２１[１]〜２１[Ｊ]を備えている。分配回路２１[１]〜２１[Ｊ]は、配線群Ｂ[１]〜Ｂ[Ｊ]に１対１で対応する。分配回路２１[１]〜２１[Ｊ]の各々として、例えば、デマルチプレクサーが用いられる。
【００５１】
図６は、分配回路２１[１]〜２１[Ｊ]と、第１供給回路２００ａと、第２供給回路２００ｂとの一例を示した図である。
【００５２】
第ｊ（ｊ＝１〜Ｊ）番目の分配回路２１[ｊ]は、第ｊ番目の配線群Ｂ[ｊ]のＫ本の信号線１４に対応するＫ個のスイッチ４０[１]〜４０[Ｋ]を含んで構成される。スイッチ４０[１]〜４０[Ｋ]の各々としては、例えば、トランジスターが用いられる。
【００５３】
分配回路２１[ｊ]内の第ｋ番目（ｋ＝１〜Ｋ）のスイッチ４０[ｋ]は、配線群Ｂ[ｊ]のＫ本の信号線１４のうち第ｋ列目の信号線１４と、Ｊ本のデータ線１６[１]〜１６[Ｊ]のうち第ｊ番目のデータ線１６[ｊ]との間に介在して、両者間の電気的な接続（導通／非導通）を制御する。
【００５４】
奇数番目の分配回路２１[ｊｏｄｄ]は、奇数番目のデータ線１６[ｊｏｄｄ]および第１入力部１１０ａを介して、第１供給回路２００ａと接続されている。第１供給回路２００ａは、第１入力部１１０ａおよび奇数番目のデータ線１６[ｊｏｄｄ]を介して、奇数番目の分配回路２１[ｊｏｄｄ]にデータ信号ＶID[ｊｏｄｄ]を出力する。第１供給回路２００ａと接続される奇数番目の分配回路２１[ｊｏｄｄ]は、第１分配部の一例である。
【００５５】
奇数番目の分配回路２１[ｊｏｄｄ]は、Ｋ本の第１選択信号線６０ａ[１]〜６０ａ[Ｋ]を含む第１選択信号線群６０ａおよび第１入力部１１０ａを介して、第１供給回路２００ａと接続されている。第１供給回路２００ａは、第１選択信号線群６０ａ内の第ｋ番目の第１選択信号線６０ａ[ｋ]を介して、奇数番目の分配回路２１[ｊｏｄｄ]に第１選択信号ＳＥＬ１[ｋ]を出力する。第１選択信号ＳＥＬ１[１]〜ＳＥＬ１[Ｋ]は、第１供給回路２００ａが出力する選択信号ＳＥＬ[１]〜ＳＥＬ[Ｋ]である。
【００５６】
奇数番目の分配回路２１[ｊｏｄｄ]は、配線群Ｂ[ｊｏｄｄ]に属するＫ本の信号線１４へのデータ信号ＶID[ｊｏｄｄ]の分配を、第１供給回路２００ａが出力する第１選択信号ＳＥＬ１[１]〜ＳＥＬ１[Ｋ]を用いて行う。
【００５７】
偶数番目の分配回路２１[ｊｅｖｅｎ]は、偶数番目のデータ線１６[ｊｅｖｅｎ]および第２入力部１１０ｂを介して、第２供給回路２００ｂと接続されている。第２供給回路２００ｂは、第２入力部１１０ｂおよび偶数番目のデータ線１６[ｊｅｖｅｎ]を介して、偶数番目の分配回路２１[ｊｅｖｅｎ]にデータ信号ＶID[ｊｅｖｅｎ]を出力する。第２供給回路２００ｂからデータ信号ＶID[ｊｅｖｅｎ]が出力される偶数番目の分配回路２１[ｊｅｖｅｎ]は、第２分配部の一例である。
【００５８】
偶数番目の分配回路２１[ｊｅｖｅｎ]は、第１選択信号線群６０ａを介して、第１供給回路２００ａと接続されている。第１供給回路２００ａは、第１選択信号線群６０ａ内の第ｋ番目の第１選択信号線６０ａ[ｋ]を介して、偶数番目の分配回路２１[ｊｅｖｅｎ]に第１選択信号ＳＥＬ１[ｋ]を出力する。
【００５９】
偶数番目の分配回路２１[ｊｅｖｅｎ]は、配線群Ｂ[ｊｅｖｅｎ]に属するＫ本の信号線１４へのデータ信号ＶID[ｊｅｖｅｎ]の分配を、第１供給回路２００ａが出力する第１選択信号ＳＥＬ１[１]〜ＳＥＬ１[Ｋ]を用いて行う。
【００６０】
奇数番目の分配回路２１[ｊｏｄｄ]と偶数番目の分配回路２１[ｊｅｖｅｎ]は、相互に隣り合って配置されている。
【００６１】
第１供給回路２００ａが出力する第１データ信号（データ信号ＶID[ｊｏｄｄ]）は、第１入力部１１０ａおよび奇数番目のデータ線１６[ｊｏｄｄ] を介して、奇数番目の分配回路２１ [ｊｏｄｄ]に供給される。第２供給回路２００ｂが出力する第２データ信号（データ信号ＶID[ｊｅｖｅｎ]）は、第２入力部１１０ｂおよび偶数番目のデータ線１６[ｊｅｖｅｎ] を介して、偶数番目の分配回路２１ [ｊｅｖｅｎ]に供給される。
データ線１６[ｊｏｄｄ]と、データ線１６[ｊｅｖｅｎ]は交互に並ぶように配置される。第１入力部１１０ａと第２入力部１１０ｂとは、電気光学パネル１００の縦方向（ｙ方向）に間隔を空けて並んで配置されている。
この場合、データ線１６[ｊ]のピッチを、データ線１６[ｊｏｄｄ]のピッチおよびデータ線１６[ｊｅｖｅｎ]のピッチよりも小さくできる。また、第１データ信号が供給される画素群（複数の第１画素）と第２データ信号が供給される画素群（複数の第２画素）とを交互に配置しやすくなる。このような画素群の配置が行われると、画素群間の画質の違いを目立ちにくくできる。また、電気光学パネル１００の横方向（ｘ方向）のサイズを大きくすることなく、高精細な画像を表示することが可能となる。
【００６２】
＜第１供給回路２００ａ＞
第１供給回路２００ａは、第１供給部の一例である。第１供給回路２００ａは、データ信号ＶID[ｊｏｄｄ]を出力する第１出力部２００ａ１と、第１選択信号ＳＥＬ１[１]〜ＳＥＬ１[Ｋ]を出力する第２出力部２００ａ２および第３出力部２００ａ３を備えている。第１出力部２００ａ１は、第２出力部２００ａ２と第３出力部２００ａ３との間に設けられている。
【００６３】
図３に示すように、第１供給回路２００ａは、制御回路５００から、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]と、調節値Ａ１を受信する。
第１供給回路２００ａは、図６に示すように、生成回路２００ａ４を備えている。生成回路２００ａ４は、デジタルデータ信号Ｄ−ＶID[ｊｏｄｄ]と調節値Ａ１とに基づいてデータ信号ＶID[ｊｏｄｄ]を生成する。生成回路２００ａ４は、第１信号生成部の一例である。生成回路２００ａ４は、第１供給回路２００ａに内蔵されている。
【００６４】
図７は、生成回路２００ａ４の一例を示した図である。
生成回路２００ａ４は、レジスタ２ａとデータ信号生成回路３[ｊｏｄｄ]とを備えている。
レジスタ２ａは、調節値Ａ１を保持する。
データ信号生成回路３[ｊｏｄｄ]は、加算器３ａ[ｊｏｄｄ]と、Ｄ／Ａ変換回路３ｂ[ｊｏｄｄ]と、増幅回路３ｃ[ｊｏｄｄ]と、を備えている。
加算器３ａ[ｊｏｄｄ]は、デジタルデータ信号Ｄ−ＶID[ｊｏｄｄ]の値に、調節値Ａ１を加算する。なお、調節値Ａ１は、データ信号ＶID[ｊｏｄｄ]（液晶素子４２の印加電圧）の極性が切り替わるごとに、正負が切り替わる。具体的には、データ信号ＶID[ｊｏｄｄ]の極性が正極性である場合、調節値Ａ１は正の値となり、データ信号ＶID[ｊｏｄｄ]の極性が負極性である場合、調節値Ａ１は負の値となる。
調節値Ａ１が加算されたことによって、加算器３ａ[ｊｏｄｄ]の出力が示す階調（輝度）は、デジタルデータ信号Ｄ−ＶID[ｊｏｄｄ]が示す階調（輝度）よりも高くなる。
Ｄ／Ａ変換回路３ｂ[ｊｏｄｄ]は、加算器３ａ[ｊｏｄｄ]の出力が示す階調（デジタル値）に応じた電位（アナログ値）を出力する。
増幅回路３ｃ[ｊｏｄｄ]は、Ｄ／Ａ変換回路３ｂ[ｊｏｄｄ]の出力を増幅してデータ信号ＶID[ｊｏｄｄ]を生成する。データ信号ＶID[ｊｏｄｄ]は、デジタルデータ信号Ｄ−ＶID[ｊｏｄｄ]と調節値Ａ１とに基づいて生成された信号の一例である。
【００６５】
説明を図６に戻す。第１供給回路２００ａは、垂直同期信号ＶSYNCと水平同期信号ＨSYNCとに応じたタイミングで、データ信号ＶID[ｊｏｄｄ]を第１出力部２００ａ１からデータ線１６[ｊｏｄｄ]に出力し、図６に示すように第１選択信号ＳＥＬ１[１]〜ＳＥＬ１[Ｋ]を第２出力部２００ａ２および第３出力部２００ａ３の各々から第１選択信号線６０ａ[１]〜６０ａ[Ｋ]にそれぞれ出力する。
分配回路２１[１]〜２１[Ｊ]は、第１選択信号線６０ａ[１]〜６０ａ[Ｋ]から第１選択信号ＳＥＬ１[１]〜ＳＥＬ１[Ｋ]を受け取り、その第１選択信号ＳＥＬ１[１]〜ＳＥＬ１[Ｋ]を用いて、データ信号ＶIDを信号線１４に分配する。
【００６６】
＜第２供給回路２００ｂ＞
第２供給回路２００ｂは、第２供給部の一例である。第２供給回路２００ｂは、データ信号ＶID[ｊｅｖｅｎ]を出力する第４出力部２００ｂ１と、第２選択信号ＳＥＬ２[１]〜ＳＥＬ２[Ｋ]を出力する第５出力部２００ｂ２および第６出力部２００ｂ３を備えている。第４出力部２００ｂ１は、第５出力部２００ｂ２と第６出力部２００ｂ３との間に設けられている。第２選択信号ＳＥＬ２[１]〜ＳＥＬ２[Ｋ]は、それぞれ、第１選択信号ＳＥＬ１[１]〜ＳＥＬ１[Ｋ]と同じタイミングのタイミング信号である。
【００６７】
図３に示すように、第２供給回路２００ｂは、制御回路５００から、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]と、ゼロを示す調節値Ａ２を受信する。
第２供給回路２００ｂは、図６に示すように生成回路２００ｂ４を備えている。生成回路２００ｂ４は、デジタルデータ信号Ｄ−ＶID[ｊｅｖｅｎ]と調節値Ａ２とに基づいてデータ信号ＶID[ｊｅｖｅｎ]を生成する。
【００６８】
図８は、生成回路２００ｂ４の一例を示した図である。
生成回路２００ｂ４は、レジスタ２ｂとデータ信号生成回路３[ｊｅｖｅｎ]とを備えている。
レジスタ２ｂは、調節値Ａ２を保持する。上述したように、調節値Ａ２はゼロを示す。
データ信号生成回路３[ｊｅｖｅｎ]は、加算器３ａ[ｊｅｖｅｎ]と、Ｄ／Ａ変換回路３ｂ[ｊｅｖｅｎ]と、増幅回路３ｃ[ｊｅｖｅｎ]と、を備えている。
加算器３ｂ[ｊｅｖｅｎ]は、デジタルデータ信号Ｄ−ＶID[ｊｅｖｅｎ]の値に、調節値Ａ２を加算する。
ここで、調節値Ａ２はゼロを示すので、加算器３ｂ[ｊｅｖｅｎ]の出力は、デジタルデータ信号Ｄ−ＶID[ｊｅｖｅｎ]の値と同一である。
なお、デジタルデータ信号Ｄ−ＶID[ｊｅｖｅｎ]が、デジタルデータ信号Ｄ−ＶID[ｊｏｄｄ]を処理する加算器３ｂ[ｊｏｄｄ]と同様の処理を行う加算器３ｂ[ｊｅｖｅｎ]で処理されるので、デジタルデータ信号Ｄ−ＶID[ｊｅｖｅｎ]は、デジタルデータ信号Ｄ−ＶID[ｊｏｄｄ]を処理する加算器３ｂ[ｊｏｄｄ]で生じる遅延量と同様の遅延量を生じる。
Ｄ／Ａ変換回路３ｂ[ｊｅｖｅｎ]は、加算器３ａ[ｊｅｖｅｎ]の出力が示す階調（デジタル値）に応じた電位（アナログ値）を出力する。
増幅回路３ｃ[ｊｅｖｅｎ]は、Ｄ／Ａ変換回路３ｂ[ｊｅｖｅｎ]の出力を増幅してデータ信号ＶID[ｊｅｖｅｎ]を生成する。
【００６９】
説明を図６に戻す。第２供給回路２００ｂは、垂直同期信号ＶSYNCと水平同期信号ＨSYNCとに応じたタイミングで、データ信号ＶID[ｊｅｖｅｎ]を第４出力部２００ｂ１からデータ線１６[ｊｅｖｅｎ]に出力する。
また、第２供給回路２００ｂは、第２選択信号ＳＥＬ２[１]〜ＳＥＬ２[Ｋ]を第５出力部２００ｂ２および第６出力部２００ｂ３の各々から出力する。なお、第５出力部２００ｂ２および第６出力部２００ｂ３はオープンとなっている。
【００７０】
本実施形態では、第１選択信号ＳＥＬ１[１]〜ＳＥＬ１[Ｋ]および第２選択信号ＳＥＬ２[１]〜ＳＥＬ２[Ｋ]は、同じ波形の信号であり、分配回路２１[ｊ]内のスイッチ４０[ｋ]を所定時間オンとするパルス信号である。
【００７１】
本実施形態では、上記説明のように、第１供給回路２００ａは、調節値Ａ１に基づいて調節されたデータ信号ＶID[ｊｏｄｄ]と第１選択信号ＳＥＬ１[ｋ]を奇数番目の分配回路２１[ｊｏｄｄ]に出力する。奇数番目の分配回路２１[ｊｏｄｄに]は、第１選択信号ＳＥＬ１[ｋ]を用いて、配線群Ｂ[ｊｏｄｄ]に属するＫ本の信号線１４へのデータ信号ＶID[ｊｏｄｄ]の分配を行う。第２供給回路２００ｂは、データ信号ＶID[ｊｅｖｅｎ]を偶数番目の分配回路２１[ｊｅｖｅｎ]に出力する。偶数番目の分配回路２１[ｊｅｖｅｎ]は、第１選択信号ＳＥＬ１[ｋ]を用いて、配線群Ｂ[ｊｅｖｅｎ]に属するＫ本の信号線１４へのデータ信号ＶID[ｊｅｖｅｎ]の分配を行う。
すなわち、第１供給回路は、第１データ信号と第１選択信号を第１分配回路に出力し、第１分配回路は、第１選択信号を用いて第１データ信号を第１信号線に分配する。第２供給回路は、第２データ信号を第２分配回路に出力し、第２分配回路は、第１選択信号を用いて第２データ信号を第２信号線に分配する。第１データ信号は、調節値により調整されている。
【００７２】
＜動作の概要＞
次に、電気光学装置１の動作の概要を説明する。
第１供給回路２００ａは、第１選択信号ＳＥＬ１[１]〜ＳＥＬ１[Ｋ]を、第２出力部２００ａ２および第３出力部２００ａ３の各々から、第１選択信号線６０ａ[１]〜６０ａ[Ｋ]を介して、分配回路２１[１]〜２１[Ｊ]に出力する。
この際、配線群Ｂ[ｊ]内のスイッチ４０[１]〜４０[Ｋ]と第１選択信号線６０ａ[１]〜６０ａ[Ｋ]は、第１供給回路２００ａの負荷となる。第１供給回路２００ａでは、この負荷（配線群Ｂ[ｊ]内のスイッチ４０[１]〜４０[Ｋ]と第１選択信号線６０ａ[１]〜６０ａ[Ｋ]）のため、第１選択信号ＳＥＬ１[１]〜ＳＥＬ１[Ｋ]の出力に伴い電源電圧が変動（低下）し、この電源電圧の変動に伴いデータ信号ＶID[ｊｅｖｅｎ]の信号レベル（電圧等）が変動（低下）してしまう。
【００７３】
そこで、電源電圧の変動に伴うデータ信号ＶID[ｊｅｖｅｎ]の低下分を補償するために、第１供給回路２００ａのデータ信号生成回路３[ｊｏｄｄ]は、デジタルデータ信号Ｄ−ＶID[ｊｏｄｄ]に調節値Ａ１を加算し、その加算結果に応じたデータ信号ＶID[ｊｏｄｄ]（第１データ信号）を生成する。そして、第１供給回路２００ａは、データ信号生成回路３[ｊｏｄｄ]が生成したデータ信号ＶID[ｊｏｄｄ]を第１出力部２００ａ１からデータ線１６[ｊｏｄｄ]に出力する。
【００７４】
一方、第２供給回路２００ｂのデータ信号生成回路３[ｊｅｖｅｎ]は、デジタルデータ信号Ｄ−ＶID[ｊｅｖｅｎ]に調節値Ａ２（調節値Ａ２＝０）を加算し、その加算結果に応じたデータ信号ＶID[ｊｅｖｅｎ]（第２データ信号）を生成する。そして、第２供給回路２００ｂは、データ信号ＶID[ｊｅｖｅｎ]を第４出力部２００ｂ１からデータ線１６[ｊｅｖｅｎ]に出力する。
第２供給回路２００ｂは、さらに、第２選択信号ＳＥＬ２[１]〜ＳＥＬ２[Ｋ]を、第５出力部２００ｂ２および第６出力部２００ｂ３に出力する。この際、第５出力部２００ｂ２および第６出力部２００ｂ３はオープン状態（開放）のため、第２選択信号ＳＥＬ２[１]〜ＳＥＬ２[Ｋ]についての負荷（具体的には、配線群Ｂ[ｊ]内のスイッチ４０[１]〜４０[Ｋ]と第１選択信号線６０ａ[１]から６０ａ[Ｋ]）は存在しない。
よって、第２供給回路２００ｂでは、第２選択信号ＳＥＬ２[１]〜ＳＥＬ２[Ｋ]の出力に伴う電源電圧の変動は生じず、この電源電圧の変動に伴うデータ信号ＶID[ｊｅｖｅｎ]の低下は生じない。
【００７５】
このように、第２供給回路２００ｂでは、第２選択信号ＳＥＬ２[１]〜ＳＥＬ２[Ｋ]は、配線群Ｂ[ｊ]内のスイッチ４０[１]〜４０[Ｋ]と第１選択信号線６０ａ[１]〜６０ａ[Ｋ]とのいずれにも出力されないので、第２選択信号ＳＥＬ２[１]〜ＳＥＬ２[Ｋ]の出力に伴うデータ信号ＶID[ｊｅｖｅｎ]の低下は生じない。
一方、第１供給回路２００ａでは、第１選択信号ＳＥＬ１[１]〜ＳＥＬ１[Ｋ]の出力に伴ってデータ信号ＶID[ｊｏｄｄ]が低下してしまうが、その低下分は、調節値Ａ１を用いて補償される。
このため、データ信号ＶID[ｊｏｄｄ]とデータ信号ＶID[ｊｅｖｅｎ]との間のばらつきを低減可能となり、画質の低下を抑制可能になる。
【００７６】
＜動作の詳細な説明＞
＜１．プリチャージ動作＞
まず、プリチャージ動作について説明する。
【００７７】
第１供給回路２００ａは、図５に示すように、プリチャージ期間ＴPREでは、調節値Ａ１に基づいて、データ信号ＶID[ｊｏｄｄ]にプリチャージ電位ＶPRE（ＶPREaとＶPREbとのいずれか）を設定する。プリチャージ電位ＶPREは、所定の基準電位ＶREF（例えばデータ信号ＶIDの振幅中心に相当する電位）に対して負極性の電位に設定される。
【００７８】
図５に示すように、データ信号ＶID[ｊｏｄｄ]の電位が基準電位ＶREFに対して正極性に設定される書込期間ＴWRTの直前のプリチャージ期間ＴPREでは、第１供給回路２００ａは、調節値Ａ１に基づいて、データ信号ＶID[ｊｏｄｄ]にプリチャージ電位ＶPREaを設定する。
データ信号ＶID[ｊｏｄｄ]の電位が基準電位ＶREFに対して負極性に設定される書込期間ＴWRTの直前のプリチャージ期間ＴPREでは、第１供給回路２００ａは、調節値Ａ１に基づいて、データ信号ＶID[ｊｏｄｄ]にプリチャージ電位ＶPREbを設定する。
なお、プリチャージ電位ＶPREaは、プリチャージ電位ＶPREbよりも低い電位である。さらに言えば、プリチャージ電位ＶPREaと基準電位ＶREFとの差は、プリチャージ電位ＶPREbと基準電位ＶREFとの差よりも大きい。
【００７９】
そして、第１供給回路２００ａは、プリチャージ期間ＴPREの間、第１選択信号ＳＥＬ１[１]〜ＳＥＬ１[Ｋ]を一斉にアクティブレベル（スイッチ４０[ｋ]をオン状態に遷移させる電位）に設定する（図５のＳＥＬ[１]〜ＳＥＬ[Ｋ]参照）。
【００８０】
一方、第２供給回路２００ｂは、図５に示すように、プリチャージ期間ＴPREでは、データ信号ＶID[ｊｅｖｅｎ]にプリチャージ電位ＶPRE（ＶPREaとＶPREbとのいずれか）を設定する。
【００８１】
データ信号ＶID[ｊｅｖｅｎ]の電位が基準電位ＶREFに対して正極性に設定される書込期間ＴWRTの直前のプリチャージ期間ＴPREでは、第２供給回路２００ｂは、データ信号ＶID[ｊｅｖｅｎ]に、プリチャージ電位ＶPREaを設定する。
データ信号ＶID[ｊｅｖｅｎ]の電位が基準電位ＶREFに対して負極性に設定される書込期間ＴWRTの直前のプリチャージ期間ＴPREでは、第２信供給回路２００ｂは、データ信号ＶID[ｊｅｖｅｎ]に、プリチャージ電位ＶPREbを設定する。
【００８２】
そして、第２供給回路２００ｂは、プリチャージ期間ＴPREの間、第２選択信号ＳＥＬ２[１]〜ＳＥＬ２[Ｋ]を一斉にアクティブレベルに設定する。
【００８３】
プリチャージ期間ＴPREにおいても、第２供給回路２００ｂでは、第２選択信号ＳＥＬ２[１]〜ＳＥＬ２[Ｋ]は、配線群Ｂ[ｊ]内のスイッチ４０[１]〜４０[Ｋ]と第１選択信号線６０ａ[１]〜６０ａ[Ｋ]とのいずれにも出力されないので、第２選択信号ＳＥＬ２[１]〜ＳＥＬ２[Ｋ]の出力に伴うデータ信号ＶID[ｊｅｖｅｎ]の低下は生じない。
一方、第１供給回路２００ａでは、第１選択信号ＳＥＬ１[１]〜ＳＥＬ１[Ｋ]の出力に伴ってデータ信号ＶID[ｊｏｄｄ]が低下してしまうが、その低下分は、調節値Ａ１を用いて補償される。
このため、プリチャージ期間ＴPREにおいて、ばらつきを低減でき、プリチャージの効果のばらつきが低減可能となり、画質の低下を抑制可能になる。
【００８４】
＜２．書込み動作＞
次に、書込み動作について説明する。
【００８５】
第１供給回路２００ａは、第ｍ行の走査線１２の選択期間内の書込期間ＴWRTでは、データ信号ＶID[ｊｏｄｄ]の電位を、第ｍ行の走査線１２と配線群Ｂ[ｊｏｄｄ]内の信号線１４との各交差に対応する画素ＰIXの指定階調に調節値Ａ１を加算した値に応じた電位に時分割で設定する。各画素ＰIXの指定階調は、制御回路５００から供給されるデジタルデータ信号Ｄ−ＶID[ｊｏｄｄ]で規定されている。
第１供給回路２００ａは、いわゆる焼き付きを防止するため、デジタルデータ信号Ｄ−ＶID[ｊｏｄｄ]に基づいて、基準電位ＶREFに対するデータ信号ＶID[ｊｏｄｄ]の電位の極性を、周期的（例えば垂直走査期間Ｖごと）に順次に反転する。
【００８６】
また、第１供給回路２００ａは、書込期間ＴWRTでは第１選択信号ＳＥＬ１[１]〜ＳＥＬ１[Ｋ]を、Ｋ個の選択期間Ｓ[１]〜Ｓ[Ｋ]にて、順番にアクティブレベルに設定する（図５に示したＳＥＬ[１]〜ＳＥＬ[Ｋ]参照）。
【００８７】
第２供給回路２００ｂは、第ｍ行の走査線１２の選択期間内の書込期間ＴWRTでは、データ信号ＶID[ｊｅｖｅｎ]の電位を、第ｍ行の走査線１２と配線群Ｂ[ｊｅｖｅｎ]内の信号線１４との各交差に対応する画素ＰIXの指定階調に応じた電位に時分割で設定する。各画素ＰIXの指定階調は、制御回路５００から供給されるデジタルデータ信号Ｄ−ＶID[ｊｅｖｅｎ]で規定されている。
また、第２供給回路２００ｂは、基準電位ＶREFに対するデータ信号ＶID[ｊｅｖｅｎ]の電位の極性を、周期的（例えば垂直走査期間Ｖごと）に順次に反転する。
【００８８】
また、第２供給回路２００ｂは、書込期間ＴWRTでは第２選択信号ＳＥＬ２[１]〜ＳＥＬ２[Ｋ]を、Ｋ個の選択期間Ｓ[１]〜Ｓ[Ｋ]にて、順番にアクティブレベルに設定する。
【００８９】
第ｍ行の走査線１２が選択された期間において、選択期間Ｓ[ｋ]では、分配回路２１[１]〜２１[Ｊ]の各々におけるＫ個のスイッチ４０[１]〜４０[Ｋ]のうち第ｋ番目のスイッチ４０[ｋ]（合計Ｊ個のスイッチ４０[ｋ]）が、第１供給回路２００ａが出力した第１選択信号ＳＥＬ１[ｋ]によって、オン状態に遷移する。これにより、各配線群Ｂ[ｊ]の第ｋ列目の信号線１４に、データ信号ＶID[ｊ]の電位が供給される。
すなわち、各単位期間Ｕ内の書込期間ＴWRTでは、Ｊ個の配線群Ｂ[１]〜Ｂ[Ｊ]の各々において、配線群Ｂ[ｊ]内のＫ本の信号線１４に、データ信号ＶID[ｊ]の電位が時分割で供給される。そして、第ｍ行の走査線１２と配線群Ｂ[ｊ]内の第ｋ列目の信号線１４との各交差に対応する画素ＰIXに指定階調に応じた電位が書き込まれる。
【００９０】
書込期間ＴWRTにおいても、第１供給回路２００ａでは、第１選択信号ＳＥＬ１[１]〜ＳＥＬ１[Ｋ]の出力に伴ってデータ信号ＶID[ｊｏｄｄ]が低下してしまうが、その低下分が、調節値Ａ１を用いて補償される。一方、第２供給回路２００ｂでは、第２選択信号ＳＥＬ２[１]〜ＳＥＬ２[Ｋ]は、配線群Ｂ[ｊ]内のスイッチ４０[１]〜４０[Ｋ]と第１選択信号線６０ａ[１]から６０ａ[Ｋ]とのいずれにも出力されないので、第２選択信号ＳＥＬ２[１]〜ＳＥＬ２[Ｋ]の出力に伴うデータ信号ＶID[ｊｅｖｅｎ]の低下は生じない。
このため、書込期間ＴWRTにおいても、データ信号ＶID[ｊｏｄｄ]とデータ信号ＶID[ｊｅｖｅｎ]との間のばらつきを低減可能となり、画質の低下を抑制可能になる。
【００９１】
＜分配回路２１[ｊ]の配列方向と第１入力部１１０ａと第２入力部１１０ｂの配列方向＞
図９は、分配回路２１[１]〜２１[Ｊ]の配列方向と、第１入力部１１０ａと第２入力部１１０ｂの配列方向との一例を示した図である。なお、図９では、説明の簡略化のために、電気光学装置１から第１供給回路２００ａとフレキシブル回路基板３００ａとを省略している。
分配回路２１[１]〜２１[Ｊ]は、走査線１２の延びる行方向（ｘ方向）に配列している。第１入力部１１０ａの各入力端子および第２入力部１１０ｂの各入力端子は、それぞれ、行方向に配列している。一方、第１入力部１１０ａと第２入力部１１０ｂは、信号線１４の延びる列方向（ｙ方向）に沿って配列している。
このため、第１入力部１１０ａと第２入力部１１０ｂとの配列方向が、行方向（ｘ方向）に配列する場合に比べて、電気光学装置１のｘ方向のサイズ（幅）を小さくできる。行方向は、走査線１２の長さ方向であり、列方向である信号線１４の長さ方向と直交している。
【００９２】
なお、第１入力部１１０ａは、第１供給回路２００ａからデータ信号ＶID[ｊｏｄｄ]と第１選択信号ＳＥＬ１[１]〜ＳＥＬ１[Ｋ]とを受ける。第２入力部１１０ｂは、第２供給回路２００ｂからデータ信号ＶID[ｊｅｖｅｎ]を受ける。分配回路２１[ｊｏｄｄ]は、第１入力部１１０ａを介して、データ信号ＶID[ｊｏｄｄ]と第１選択信号ＳＥＬ１[１]〜ＳＥＬ１[Ｋ]とを受ける。分配回路２１[ｊｅｖｅｎ]は、第１入力部１１０ａを介して第１選択信号ＳＥＬ１[１]〜ＳＥＬ１[Ｋ]を受け、第２入力部１１０ｂを介してデータ信号ＶID[ｊｅｖｅｎ]を受ける。
制御回路５００は、制御基板６００に設けられている。第２供給回路２００ｂは、フレキシブル回路基板３００ｂに設けられたコネクタ端子３００ｂ２を介して制御回路５００と接続されている。図９では省略されているが、第１供給回路２００ａは、フレキシブル回路基板３００ａに設けられたコネクタ端子（不図示）を介して制御回路５００と接続されている。
【００９３】
第１選択信号ＳＥＬ１[１]〜ＳＥＬ１[Ｋ]を伝送する配線（第１選択信号線６０ａ[１]〜６０ａ[Ｋ]）には抵抗が存在し、その配線間には容量が存在する。
このため、第１選択信号ＳＥＬ１[１]〜ＳＥＬ１[Ｋ]を伝送する配線が長くなると、第１選択信号ＳＥＬ１[１]〜ＳＥＬ１[Ｋ]の遅延量が大きくなる。
よって、第１選択信号ＳＥＬ１[１]〜ＳＥＬ１[Ｋ]の出力元から各々の分配回路２１[ｊ]までの間の配線の長さの差に応じて、第１選択信号ＳＥＬ１[１]〜ＳＥＬ１[Ｋ]の遅延量が異なってしまう。第１選択信号ＳＥＬ１[１]〜ＳＥＬ１[Ｋ]の遅延量の差は、データ信号ＶIDの書込タイミングのばらつきを生じさせるため、画質の低下を引き起こすおそれがある。
【００９４】
本実施形態では、図３および図６に示したように、第１選択信号ＳＥＬ１[１]〜ＳＥＬ１[Ｋ]を出力する第２出力部２００ａ２および第３出力部２００ａ３は、第１出力部２００ａ１を挟む位置に設けられている。このため、分配回路２１[ｊ]は、複数箇所（第２出力部２００ａ２と第３出力部２００ａ３）から出力された第１選択信号ＳＥＬ１[１]〜ＳＥＬ１[Ｋ]を用いて分配動作を制御可能となる。
よって、単一の箇所から第１選択信号ＳＥＬ１[１]〜ＳＥＬ１[Ｋ]が出力される場合に比べて、第１選択信号ＳＥＬ１[１]〜ＳＥＬ１[Ｋ]の出力元から各々の分配回路２１[ｊ]までの間の第１選択信号ＳＥＬ１[１]〜ＳＥＬ１[Ｋ]の配線の長さの差を短くでき、第１選択信号ＳＥＬ１[１]〜ＳＥＬ１[Ｋ]の遅延量の差を小さくできる。よって、第１選択信号ＳＥＬ１[１]〜ＳＥＬ１[Ｋ]の遅延量の差に基づく画質の乱れを低減可能になる。
また、第１出力部２００ａ１と第２出力部２００ａ２と第３出力部２００ａ３との位置関係が、第４出力部２００ｂ１と第５出力部２００ｂ２と第６出力部２００ｂ３との位置関係と等しいので、第１供給回路２００ａの構成と、第２供給回路２００ｂの構成とを同一にすることが可能になる。よって、電気光学装置１の構成部品の種類を少なくできる。
【００９５】
本実施形態では、Ｎ本の信号線１４は、横方向に連続配置するＫ本を１単位としてＪ個の配線群Ｂ[ｊ]に区分されていたが、横方向に連続配置しないＫ本を１単位としてＪ個の配線群Ｂ[ｊ]に区分されてもよい。例えば、配線群Ｂ[ｊｏｄｄ]に属する信号線１４と配線群Ｂ[ｊｅｖｅｎ]に属する信号線１４が交互に配置されてもよい。奇数番目の信号線１４が配線群Ｂ[ｊｏｄｄ]に属し、偶数番目の信号線１４が配線群Ｂ[ｊｅｖｅｎ]に属する。この場合でも、配線群Ｂ[ｊｏｄｄ]と配線群Ｂ[ｊｅｖｅｎ]は、奇数番目の配線群と偶数番目の配線群とも言える。また、第１画素および第２画素は、それぞれ、第１供給回路２００ａおよび第２供給回路２００ｂから信号が供給される。
第１データ信号および第１選択信号は、第１供給回路２００ａが供給する信号であり、第１信号線は、第１供給回路２００ａから信号が供給される配線である。また、第２データ信号および第２選択信号は、第２供給回路２００ｂが供給する信号であり、第２信号線は、第２供給回路２００ｂから信号が供給される配線である。また、第１分配部および第２分配部は、それぞれ、第１供給回路２００ａおよび第２供給回路２００ｂからの信号を分配する。
【００９６】
＜第２実施形態＞
本発明を採用した第２実施形態に係る電気光学装置１Ａは、第１供給回路２００ａから加算器３ａ[ｊｏｄｄ]およびレジスタ２ａが除かれ、第２供給回路２００ｂから加算器３ａ[ｊｅｖｅｎ]およびレジスタ２ｂが除かれ、制御回路５００内に加算器３ａ[１]〜３ａ[Ｊ]とレジスタ２ａおよび２ｂとを含む生成回路５００ａが設けられている点で、第１実施形態に係る電気光学装置１と相違する。
【００９７】
図１０は、第２実施形態に係る電気光学装置１Ａを示した図である。図１０において、図３に示した構成と同一構成のものには同一符号を付してある。以下、第２実施形態に係る電気光学装置１Ａについて、第１実施形態に係る電気光学装置１と異なる点を中心に説明する。
【００９８】
電気光学装置１Ａの制御回路５００は、生成回路５００ａを備えている。生成回路５００ａは、デジタルデータ信号Ｄ−ＶID[ｊｏｄｄ]と調節値Ａ１とに基づいて調節済みデジタルデータ信号Ｄａ−ＶID[ｊｏｄｄ]を生成する。調節済みデジタルデータ信号Ｄａ−ＶID[ｊｏｄｄ]は、第３データ信号の一例である。生成回路５００ａは、第２信号生成部の一例である。
【００９９】
図１１は、生成回路５００ａの一例を示した図である。
生成回路５００ａは、デジタルデータ信号生成回路４[ｊｏｄｄ]と、レジスタ２ａと、デジタルデータ信号生成回路４[ｊｅｖｅｎ]と、レジスタ２ｂと、を備えている。
デジタルデータ信号生成回路４[ｊｏｄｄ]は、加算器３ａ[ｊｏｄｄ]を備えている。加算器３ａ[ｊｏｄｄ]は、デジタルデータ信号Ｄ−ＶID[ｊｏｄｄ]に対して、レジスタ２ａに保持されている調節値Ａ１を加算することで、調節済みデジタルデータ信号Ｄａ−ＶID[ｊｏｄｄ]を生成する。
デジタルデータ信号生成回路４[ｊｅｖｅｎ]は、加算器３ａ[ｊｅｖｅｎ]を備えている。加算器３ａ[ｊｅｖｅｎ]は、デジタルデータ信号Ｄ−ＶID[ｊｅｖｅｎ]に対して、レジスタ２ｂに保持されている調節値Ａ２（調節値Ａ２はゼロを示す）を加算することで、デジタルデータ信号Ｄ−ＶID[ｊｅｖｅｎ]を出力する。
【０１００】
説明を図１０に戻す。制御回路５００は、デジタルデータ信号Ｄ−ＶID[ｊｏｄｄ]の代わりに、調節済みデジタルデータ信号Ｄａ−ＶID[ｊｏｄｄ]を第１供給回路２００ａに出力する。
第１供給回路２００ａは、調節済みデジタルデータ信号Ｄａ−ＶID[ｊｏｄｄ]が指定する階調に応じた電位を時分割で含むデータ信号ＶID[ｊｏｄｄ]を生成し、データ信号ＶID[ｊｏｄｄ]を分解回路２１[ｊｏｄｄ]に出力する。
【０１０１】
本実施形態では、制御回路５００側で、調節値Ａ１を用いたデジタルデータ信号Ｄ−ＶID[ｊｏｄｄ]の調節が行われる。このため、第１供給回路２００ａがデジタルデータ信号Ｄ−ＶID[ｊｏｄｄ]の調節を行う場合に比べて、第１供給回路２００ａの負荷を少なくできる。
【０１０２】
＜変形例＞
以上の各形態は多様に変形され得る。具体的な変形の態様を以下に例示する。以下の例示から任意に選択された２以上の態様は相矛盾しない限り適宜に併合され得る。
【０１０３】
＜変形例１＞
第２供給回路２００ｂは、第２選択信号ＳＥＬ２[１]〜ＳＥＬ２[Ｋ]の出力を停止してもよい。例えば、第２供給回路２００ｂは、制御回路５００からの停止指示に応じて、第２選択信号ＳＥＬ２[１]〜ＳＥＬ２[Ｋ]の出力を停止する。この場合、第２供給回路２００ａは、第２選択信号線群（不図示）を介して、奇数番目の分配回路２１[ｊｏｄｄ]および偶数番目の分配回路２１[ｊｅｖｅｎ]と接続されていてもよい。
【０１０４】
＜変形例２＞
調節値Ａ１に対して他の調節値（例えば、画素部１０内での画素位置に応じた調節値）が加算され、その加算結果が、調節値Ａ１の代わりに用いられてもよい。
ここで、画素部１０内での画素位置に応じた調節値の一例を説明する。
画素部１０内の複数の画素ＰIXは、同じデータ信号ＶIDが供給されても、画素部１０の端に近いほど輝度が低くなる傾向がある。そこで、データ信号ＶIDに調節用の電位を加算する構成が採用され、この調節用の電位を、その供給対象の画素ＰIXの位置が画素部１０の端に近いほど高くする調整が行われる場合がある。この調節用の電位が、画素部１０内での画素位置に応じた調節値の一例となる。
【０１０５】
＜変形例３＞
第１供給回路２００ａと制御回路５００との各々で調節値を用いた調節が行われてもよい。
例えば、「調節値Ａ１ａ＋調節値Ａ１ｂ＝調節値Ａ１」の関係を満たす調節値Ａ１ａと調節値Ａ１ｂが生成される。制御回路５００が、調節値Ａ１ａを用いてデジタルデータ信号Ｄ−ＶID[ｊｏｄｄ]を補正して調節済みデジタルデータ信号Ｄａ−ＶID[ｊｏｄｄ]を生成する。そして、第１供給回路２００ａが、調節値Ａ１ｂを用いて調節済みデジタルデータ信号Ｄａ−ＶID[ｊｏｄｄ]を補正してデータ信号ＶID[ｊｏｄｄ]を生成する。
【０１０６】
＜変形例４＞
上述した実施形態では、図１、２に示すように、フレキシブル回路基板３００ａとフレキシブル回路基板３００ｂとを、電気光学パネル１００の表示方向（ｚ方向）から見て重なるように取り付けられた構成について説明した。しかし、本発明はこのような構成に限定されるものではない。例えば、電気光学パネル１００に、フレキシブル回路基板３００ａとの接続端子３００ａ１およびフレキシブル回路基板３００ｂとの接続端子３００ｂ１を電気光学パネル１００の横方向（ｘ方向）に並べて配置してもよい。この場合、フレキシブル回路基板３００ａとフレキシブル回路基板３００ｂの電気光学パネル１００への実装は容易となる。しかし、この例では、図１、２の接続端子３００ａ１と接続端子３００ｂ１が縦方向（ｙ方向）に配置される構成と比較して、画素部１０に対してフレキシブル回路基板３００ａおよびフレキシブル回路基板３００ｂの実装領域が大きくなる場合や、画素部１０と実装領域とを接続する配線が長くなる場合がある。
【０１０７】
＜変形例５＞
第１供給回路２００ａが分配回路２１[１]〜２１[Ｊ/２]までを駆動し、第２供給回路２００ｂが分配回路２１[（Ｊ/２）＋１]〜２１[Ｊ]までを駆動してもよい。この場合、分配回路２１[１]〜２１[Ｊ/２]と分配回路２１[（Ｊ/２）＋１]〜２１[Ｊ]は、位置的に容易に分けられるので、分配回路２１[１]〜２１[Ｊ]と、第１供給回路２００ａおよび第２供給回路２００ｂとの配線を単純化することが可能になる。
【０１０８】
＜変形例６＞
電気光学装置として液晶装置が用いられたが、電気光学装置は、電気的なエネルギーで光学的な性質が変化する電気光学物質を有する装置であればよい。なお、電気光学物質には、液晶や有機ＥＬ（electro luminescence）などが該当する。
【０１０９】
＜変形例７＞
調節値Ａ１をゼロとし、調節値Ａ２をゼロとしなくてもよい。
第１供給回路２００ａは、データ信号ＶID[ｊｏｄｄ]と第１選択信号ＳＥＬ１[１]〜ＳＥＬ１[Ｋ]を奇数番目の分配回路２１[ｊｏｄｄ]に出力する。奇数番目の分配回路２１[ｊｏｄｄ]は、第１選択信号ＳＥＬ１[ｋ]を用いて、配線群Ｂ[ｊｏｄｄ]に属するＫ本の信号線１４へのデータ信号ＶID[ｊｏｄｄ]の分配を行う。第２供給回路２００ｂは、調節値Ａ２に基づいて調節されたデータ信号ＶID[ｊｅｖｅｎ]を偶数番目の分配回路２１[ｊｅｖｅｎ]に出力する。この場合は、第１供給回路２００ａからのデータ信号ＶID[ｊｏｄｄ]の変動を第２供給回路２００ｂからのデータ信号ＶID[ｊｅｖｅｎ]の調節で補償する。データ信号ＶID[ｊｏｄｄ]の第１選択信号ＳＥＬ１[１]〜ＳＥＬ１[Ｋ]の出力に伴う低下分は、データ信号ＶID[ｊｅｖｅｎ]に対応する調節値Ａ２を減算することにより補償する。
すなわち、第１供給回路は、第１データ信号と第１選択信号を第１分配回路に出力し、第１分配回路は、第１選択信号を用いて第１データ信号を第１信号線に分配する。第２供給回路は、第２データ信号を第２分配回路に出力し、第２分配回路は、第１選択信号を用いて第２データ信号を第２信号線に分配する。第２データ信号は、調節値により調整されている。
この場合も、データ信号ＶID[ｊｏｄｄ]とデータ信号ＶID[ｊｅｖｅｎ]との間のばらつきを低減可能となり、画質の低下を抑制可能になる。また、調節値Ａ２で調節する場合は、消費電力は抑制できるが、電圧レベル等は増加させる方が安定するため、調節値Ａ１で調節する方が画質低下の抑制には効果的である。
【０１１０】
＜変形例８＞
電気光学パネル１００と接続される配線基板の数は２つに限定されない。３つ以上の配線基板が電気光学パネル１００に接続されてもよい。例えば、３つ以上の配線基板が用いられる場合においても、少なくとも１つの配線基板の供給回路が選択信号を出力し、その選択信号の出力によるデータ信号の変動を調節すればよい。
【０１１１】
＜応用例＞
以上の各形態や変形例に例示した電気光学装置は、各種の電子機器に利用され得る。図１２には、上述した電気光学装置を採用した電子機器の具体的な形態が例示されている。
【０１１２】
図１２は、上述した電気光学装置を適用した投射型表示装置（３板式のプロジェクタ）４０００の模式図である。投射型表示装置４０００は、相異なる表示色（赤色，緑色，青色）に対応する３個の電気光学装置１（１Ｒ，１Ｇ，１Ｂ）を含んで構成される。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。上述した電気光学装置１を適用することにより、高精細表示が可能な小型の投射型表示装置４０００が容易に実現できる。
【０１１３】
なお、本発明に係る電気光学装置が適用される電子機器としては、図１２に例示した機器のほか、可搬型のパーソナルコンピューター、携帯情報端末（ＰＤＡ：Personal Digital Assistants），デジタルスチルカメラ，テレビ，ビデオカメラ，カーナビゲーション装置が挙げられる。さらに、該電子機器としては、車載用の表示器（インパネ），電子手帳，電子ペーパー，電卓，ワードプロセッサ，ワークステーション，テレビ電話，ＰＯＳ端末，プリンタ，スキャナ，複写機，ビデオプレーヤ，タッチパネルを備えた機器等などが挙げられる。
【符号の説明】
【０１１４】
１…電気光学装置、１０…画素部、１２…走査線、１４…信号線、２０…走査線駆動回路、２１[１]〜２１[Ｋ]…分配回路、２００ａ…第１供給回路、２００ｂ…第２供給回路、５００…制御回路。
【図１】
2018017802.tif 000003
【図２】
2018017802.tif 000004
【図３】
2018017802.tif 000005
【図４】
2018017802.tif 000006
【図５】
2018017802.tif 000007
【図６】
2018017802.tif 000008
【図７】
2018017802.tif 000009
【図８】
2018017802.tif 000010
【図９】
2018017802.tif 000011
【図１０】
2018017802.tif 000012
【図１１】
2018017802.tif 000013
【図１２】
2018017802.tif 000014